(57)【要約】      （修正有）【課題】歩留まりを向上できるモジュール化されたセラミック時計ケースを提供する。【解決手段】主にムーブメントハウジング１０、一対の時計ベルトハウジング２０ａ，２０ｂを含む。ムーブメントハウジング１０は容置穴１１を設置し、時を刻む機能を備えたムーブメント１２を設置する。該時計ベルトハウジングはそれぞれ該ムーブメントハウジングの相対する両側に固定連接し、該各時計ベルトハウジングの両側にはそれぞれ固定孔２１を形成し、これにより該一対の時計ベルトハウジングの対応側の固定孔間には時計ベルトロック２２を設置する。該時計ベルトハウジングはセラミック等材料により製造し、異なる形状及び色に形成し、このため異なる色、異なる形態の時計ベルトハウジングとムーブメントハウジングの組合せが可能で、異なる時計ケースの外観、形状を組成可能である。【選択図】図１
0003130651.tif 000002
【実用新案登録請求の範囲】
【請求項１】
ムーブメントハウジング、一対の時計ベルトハウジングを含み、
該ムーブメントハウジングは容置穴を設置し、時を刻む機能を備えたムーブメントを設置し、
該一対の時計ベルトハウジングはセラミック材料により製造し、該ムーブメントハウジングの相対する両側に固定連接し、該各時計ベルトハウジングの両側にはそれぞれ固定孔を形成し、これにより該一対の時計ベルトハウジングの対応側の固定孔間において、時計ベルトロックを設置することを特徴とするモジュール化されたセラミック時計ケース。
【請求項２】
前記時計ベルトハウジングと該ムーブメントハウジング間には装飾ハウジングを設置することを特徴とする請求項１記載のモジュール化されたセラミック時計ケース。
【請求項３】
前記時計ベルトハウジングの外周囲には該装飾ハウジングを固定連接することを特徴とする請求項１記載のモジュール化されたセラミック時計ケース。
【請求項４】
前記モジュール化されたセラミック時計ケースはさらに多数の端辺ハウジングを含み、該ムーブメントハウジング外に緊密に接触し、しかも該一対の時計ベルトハウジング間に位置し、これにより該端辺ハウジングと該２個の時計ベルトハウジングは該ムーブメントハウジングの周囲をすべて取り囲むことを特徴とする請求項１記載のモジュール化されたセラミック時計ケース。
【請求項５】
前記ムーブメントハウジングの外周囲において第一嵌合部を設置し、該時計ベルトハウジングの第二嵌合部に対応し嵌合することを特徴とする請求項１記載のモジュール化されたセラミック時計ケース。
【請求項６】
前記ムーブメントハウジングの外周囲において第一嵌合部を設置し、これにより該装飾ハウジングの第三嵌合部を対応し嵌合することを特徴とする請求項２記載のモジュール化されたセラミック時計ケース。
【請求項７】
前記ムーブメントハウジングの外周囲において第一嵌合部を設置し、これにより該端辺ハウジングの第四嵌合部を対応し嵌合することを特徴とする請求項４記載のモジュール化されたセラミック時計ケース。
【請求項８】
前記時計ベルトハウジングにおいてさらに係合部を設置し、該装飾ハウジングの対応嵌合部を対応し嵌接することを特徴とする請求項２記載のモジュール化されたセラミック時計ケース。
【請求項９】
前記装飾ハウジングはセラミック材料により製造することを特徴とする請求項３記載のモジュール化されたセラミック時計ケース。
【請求項１０】
前記端辺ハウジングはセラミック材料により製造することを特徴とする請求項４記載のモジュール化されたセラミック時計ケース。
【考案の詳細な説明】
【技術分野】
【０００１】
本考案は一種のモジュール化されたセラミック時計ケースに関する。特に一種の少なくとも２個の時計ベルトハウジングにより挟まれ、ムーブメントハウジングの相対する両側に固定連接し組成する時計ケースであるモジュール化されたセラミック時計ケースに係る。
【背景技術】
【０００２】
現在腕時計に応用される時計ケースのほとんどは金属材料により一体成型されるため、時計ケースの外観と色彩は完全に金属由来である。このため、公知の腕時計は外観と色彩において変化に乏しい。
これに対して近年、業界ではセラミック材料により腕時計の時計ケースを製作し、セラミックの多様な色彩表現により時計ケースの外観を豊富にし、消費者にアピールしようとの動きが起きている。
しかし、セラミック材料により成型される時計ケースでは、時計ケースの湾曲位置、陥没位置或いは溝のある部分が、高温による成型時に、材料の收縮が形成する応力の引っ張りにより断裂が置き易く、容易に不良品ができ易い。実際の製作過程では、その製造歩留は50%に及ばないため、製造コストが極めて高くなってしまっている。しかし、セラミック時計ケースの外観は多彩で色彩も変化に富むため、消費者の人気が高く、セラミック時計ケースの長所を保持しながら製品の歩留まりを向上させることが急務の課題となっている。
【特許文献１】特開２００６−２４２６１４号公報
【考案の開示】
【考案が解決しようとする課題】
【０００３】
本考案人は公知構造の上記欠点を改善するため研究改良を重ね、モジュール化されたセラミック時計ケースを開発した。
【課題を解決するための手段】
【０００４】
上記課題を解決するため、本考案は下記のモジュール化されたセラミック時計ケースを提供する。
それは主にモジュール化されたセラミック時計ケースを提供し、そのムーブメントハウジングは容置穴を設置し、時を刻む機能を備えたムーブメントを設置し、一対の時計ベルトハウジングはそれぞれ該ムーブメントハウジングの相対する両側に固定連接し、該各時計ベルトハウジングの両側にはそれぞれ固定孔を形成し、これにより該一対の時計ベルトハウジングの対応側の固定孔間には時計ベルトロックを設置し、
該時計ベルトハウジングはセラミック等材料により製造し、異なる形状及び色に形成し、このため異なる色、異なる形態の時計ベルトハウジングとムーブメントハウジングの組合せが可能で、様々な時計ケースの外観、形状を組成し、
本考案が示すモジュール化されたセラミック時計ケース該一対の時計ベルトハウジングとムーブメントハウジング間には一個或いは多数の装飾ハウジングを設置し、或いは該時計ベルトハウジングの外周囲には多数の装飾ハウジングを設置し、これにより本考案が組成する時計ケースは多層状を形成可能で、
本考案が示すモジュール化されたセラミック時計ケースはさらに多数の端辺ハウジングを含み、該ムーブメントハウジング外に緊密に接触し、しかも該一対の時計ベルトハウジング間に位置し、これにより該端辺ハウジングと該２個の時計ベルトハウジングは該ムーブメントハウジングの周囲すべてを取り囲むことができ、
本考案が示すモジュール化されたセラミック時計ケースは該ムーブメントハウジングの外周囲において第一嵌合部を設置し、該時計ベルトハウジングの第二嵌合部、或いは該装飾ハウジングの第三嵌合部、或いは端辺ハウジングの第四嵌合部を対応し嵌合し、該ムーブメントハウジングの第一嵌合部は突部或いは凹穴で、凹穴状或いは突部状を呈する時計ベルトハウジングの第二嵌合部、装飾ハウジングの第三嵌合部或いは端辺ハウジングの第四嵌合部を対応し嵌接するモジュール化されたセラミック時計ケースを提供する。
【考案の効果】
【０００５】
上記のように、本考案のセラミック材料により製造するムーブメントハウジング、時計ベルトハウジング、装飾ハウジング、端辺ハウジングは異なる色を呈し、異なる時計ケース型式を組成し、その形状は応力による破壊を回避可能であるため、歩留を大幅に向上させることができ、製造コストの低下を実現することができる。また使用者の好みに応じて、隨意に異なる形状或いは色の構成部品を組合せることができ、様々な消費者のニーズに応えることができる。
【考案を実施するための最良の形態】
【０００６】
図１、２に示すように、本考案モジュール化されたセラミック時計ケースはムーブメントハウジング10、一対の時計ベルトハウジング20a、20bを含む。
該ムーブメントハウジング10は容置穴11を設置し、時を刻む機能を備えたムーブメント12を設置する。
該一対の時計ベルトハウジング20a、20bはそれぞれ該ムーブメントハウジング10の相対する両側に固定連接し、該各時計ベルトハウジング20a、20bの両側にはそれぞれ固定孔21を形成し、これにより該一対の時計ベルトハウジング20a、20bの対応側の固定孔21間において時計ベルトロック22を設置する。
該時計ベルトハウジング20a、20bはセラミック等材料により製造し、異なる形状及び色に形成し、こうして異なる色、異なる形態の時計ベルトハウジング20a、20bとムーブメントハウジング10の組合せにより、異なる時計ケースの外観及び形状を組成する。
【０００７】
図３、４に示すように、本考案が示すモジュール化されたセラミック時計ケースは該一対の時計ベルトハウジング20a、20bと該ムーブメントハウジング10間に一個或いは多数の装飾ハウジング30をはさみ設置する。或いは該時計ベルトハウジング20a、20bの外周囲に多数の装飾ハウジング30を固定連接する。こうして本考案が組成する時計ケースは多層状を形成する。
続いて図５に示すように、本考案が示すモジュール化されたセラミック時計ケースはさらに多数の端辺ハウジング40を含み、該ムーブメントハウジング10外に緊密に接触し、しかも該一対の時計ベルトハウジング20a、20b間に位置し、これにより該端辺ハウジング40と該２個の時計ベルトハウジング20a、20bは該ムーブメントハウジング10の周囲をすべて取り囲む。
【０００８】
さらに図１、４、５に示すように、本考案が示すモジュール化されたセラミック時計ケースは該ムーブメントハウジング10の外周囲に第一嵌合部13を設置し、該時計ベルトハウジング20a、20bの第二嵌合部23、或いは該装飾ハウジング30の第三嵌合部33、或いは該端辺ハウジング40の第四嵌合部43を対応し嵌合する。
該ムーブメントハウジング10の第一嵌合部13は突部或いは凹穴で、凹穴状或いは突部状を呈する時計ベルトハウジング20の第二嵌合部23、該装飾ハウジング30の第三嵌合部33或いは該端辺ハウジング40の第四嵌合部43に対応し嵌接する。
次に図４に示すように、本考案が示すモジュール化されたセラミック時計ケースの該時計ベルトハウジング20a、20bはさらに係合部24を設置し、該装飾ハウジング30の対応嵌合部34を対応し嵌接する。該時計ベルトハウジング20の係合部24は突部或いは凹部を呈し、該装飾ハウジング30の対応嵌合部34は対応の凹部或いは突部を呈する。
【０００９】
本考案が示すモジュール化されたセラミック時計ケースの該ムーブメントハウジング10は円形、四角形、六角形等の多辺形で、本考案ではその形状を限定しない。
本考案が示すモジュール化されたセラミック時計ケースの該ムーブメントハウジング10、該一対の時計ベルトハウジング20、該装飾ハウジング30及び該端辺ハウジング40間は接着剤により接着し、或いはネジにより螺固し、或いは定位ピンによりラッチ定位することができ、本考案ではその連接方式を限定しない。
【００１０】
本考案が示すモジュール化されたセラミック時計ケースには以下の構造上での特徴と長所を備える。
1.該ムーブメントハウジング10、該時計ベルトハウジング20、該装飾ハウジング30、該端辺ハウジング40により構成し、該各構成部品は異なる色を呈し、異なる時計ケース型式を組成する。
2.該時計ベルトハウジング20、該装飾ハウジング30、該端辺ハウジング40の形状は応力による破壊を回避可能であるため、セラミック材料により製造しながら、その歩留を大幅に向上させることができる。つまり、ほとんど不良品がでないため、製造コストの低下を実現することができる。
3.使用者の好みに応じて、隨意に異なる形状或いは色のムーブメントハウジング10、時計ベルトハウジング20、装飾ハウジング30、端辺ハウジング40を組合せ、様々な消費者のニーズに応えることができる。
本考案が示す構造、形状は本考案の精神を逸脱しない範囲で修飾や応用を行うことができ、本考案はこれを制限するものではない。
【図面の簡単な説明】
【００１１】
【図１】本考案の立体分解図である。
【図２】本考案組み立て後の指示図である。
【図３】本考案第二実施例の平面指示図である。
【図４】図３中4-4方向の局部断面図である。
【図５】本考案第三実施例の指示図である。
【符号の説明】
【００１２】
10  ムーブメントハウジング
11  容置穴
12  ムーブメント
13  第一嵌合部
20a、20b  時計ベルトハウジング
21  固定孔
22  時計ベルトロック
23  第二嵌合部
24  係合部
30  装飾ハウジング
33  第三嵌合部
34  対応嵌合部
40  端辺ハウジング
43  第四嵌合部
【図１】
0003130651.tif 000003
【図２】
0003130651.tif 000004
【図３】
0003130651.tif 000005
【図４】
0003130651.tif 000006
【図５】
0003130651.tif 000007